(57)【要約】【課題】  被検者眼の眼圧を精度良く測定すると共に、被検眼の状態を好適に確認する。【解決手段】  被検者眼角膜に対し超音波ビームを非接触にて送信し，受信するための送受信部を有する超音波探触子と、前記被検者眼の前眼部像を観察するための観察光軸を持ち、前記探触子の中心軸と該観察光軸とが所定角度で交わるように前記探触子に対して分離して配置された観察光学系と、を備え、前記探触子によって受信された角膜反射波の特性に基づいて被検者眼の眼圧を測定する。【選択図】      図１
2011045602.tif 000002
【特許請求の範囲】
【請求項１】
被検者眼角膜に対し超音波ビームを非接触にて送信し，受信するための送受信部を有する超音波探触子と、
前記被検者眼の前眼部像を観察するための観察光軸を持ち、前記探触子の中心軸と該観察光軸とが所定角度で交わるように前記探触子に対して分離して配置された観察光学系と、を備え、
前記探触子によって受信された角膜反射波の特性に基づいて被検者眼の眼圧を測定する非接触式超音波眼圧計。
【請求項２】
請求項１の非接触式超音波眼圧計において、
前記探触子は、被検者眼に対向して配置され、
前記観察光学系は、被検者眼に対して斜め前方に配置されていることを特徴とする非接触式超音波眼圧計。
【請求項３】
請求項２の非接触式超音波眼圧計において、
前記探触子の中心部には、開口部が形成されていることを特徴とする非接触式超音波眼圧計。
【請求項４】
請求項３の非接触式超音波眼圧計において、
被検者眼に対する前記探触子のアライメント状態を検出するためのアライメント光軸を持ち、前記探触子の中心軸と該アライメント光軸とが所定角度で交わるように前記探触子に対して分離して配置されたアライメント検出光学系を備え、
前記アライメント検出光学系は、観察光学系による兼用、又は観察光学系とは別に配置されていることを特徴とする非接触式超音波眼圧計。
【請求項５】
請求項４の非接触式超音波眼圧計において、
前記探触子は、その中心軸が水平面に対して平行となるように配置され、
前記観察光学系は、前記探触子の下方に配置されていることを特徴とする非接触式超音波眼圧計。
【請求項６】
請求項５の非接触式超音波眼圧計において、
前記探触子の送受信部は、送信部と受信部とが分離して配置され、中心から近い順に、前記開口部、前記受信部、前記送信部とが同心円状に形成されていることを特徴とする非接触式超音波眼圧計。
【請求項７】
請求項６の非接触式超音波眼圧計において、
前記探触子の外縁部より外側に配置され、被検者眼に対して前記探触子の上下左右方向のアライメントを行うためのアライメント指標を投影する第１アライメント指標投影光学系を備えることを特徴とする非接触式超音波眼圧計。
【請求項８】
請求項７の非接触式超音波眼圧計において、
前記第１アライメント指標投影光学系は、その中心軸が前記観察光学系の観察光軸と同軸となるように配置されていることを特徴とする非接触式超音波眼圧計。
【請求項９】
請求項８の非接触式超音波眼圧計において、
被検者眼に対して前記探触子の作動距離方向のアライメントを行うためのアライメント指標を斜め方向から投影する第２アライメント指標投影光学系と、
前記第２アライメント指標投影光学系による角膜反射光を斜め方向から検出する作動距離検出光学系と、を備え、
第２アライメント指標投影光学系と前記作動距離検出光学系は、前記探触子の中心軸に対して対称に配置されていることを特徴とする非接触式超音波眼圧計。
【請求項１０】
請求項１〜９のいずれかの非接触式超音波眼圧計において、前記送受信部の少なくともどちらかは、広帯域空気結合型探触子であることを特徴とする非接触式超音波眼圧計。
【請求項１１】
請求項１０の非接触式超音波眼圧計において、前記開口部を介して被検者眼に固視標を投影するための固視光軸を有し、前記探触子の中心軸と該光軸とが同軸となるように配置された固視標投影光学系を備えることを特徴とする非接触式超音波眼圧計。
【請求項１２】
請求項６の非接触式超音波眼圧計において、
前記アライメント検出光学系は、被検者眼に対して斜め前方の２方向に配置されていることを特徴とする非接触式超音波眼圧計。
【発明の詳細な説明】
【技術分野】
【０００１】
本発明は、超音波を用いて非接触にて被検者眼の眼圧を測定する非接触式超音波眼圧計に関する。
【背景技術】
【０００２】
被検者眼に入射する入射波と被検者眼からの反射波と比較して被検者眼の眼圧を測定する装置としては、被検者眼に対して振動を入射する振動子と被検者眼からの反射波を検出する振動検出センサとを有する探触子を保持すると共に，先端に眼球が接触される弾性キャップを有するプローブペンを有し、弾性キャップを被検者眼に接触させた状態にて被検者眼の眼圧を測定する接触式の眼圧検査装置が提案されている（特許文献１参照）。
【０００３】
また、非接触式の構成としては、被検者眼（ただし、模型眼）に対して超音波を入射する振動子と被検者眼からの反射波を検出する振動検出センサとを有する探触子が設けられ、被検者眼の眼前に探触子を配置させた状態で被検者眼の眼圧を非接触にて測定する眼圧検査装置が提案されている（特許文献２参照）。
【先行技術文献】
【特許文献】
【０００４】
【特許文献１】特開２００４−２６７２９９
【特許文献２】国際公開第２００８／０７２５２７号
【発明の概要】
【発明が解決しようとする課題】
【０００５】
しかしながら、特許文献１の構成の場合、被検者眼にプローブペンを接触させた状態で眼圧測定を行うものであり、被検者眼への負担が大きい。また、特許文献２の構成の場合、模型眼に対する測定を想定したものにすぎず、実際の人眼を測定するにはまだ不十分であり、実用化に向けた課題は多い。例えば、人眼の場合、固視微動や被検者眼の視線移動によって眼が動くことから、被検者眼に対する探触子のアライメントずれの影響で、振動検出センサによって検出される反射波の特性（例えば、周波数、位相等）が変化してしまい、測定結果にバラツキが生じてしまう可能性がある。また、被検者の恐怖心を緩和するには、角膜と装置との作動距離をある程度確保する必要がある（例えば、１０ｍｍ程度）。
【０００６】
本発明は、上記従来技術を鑑み、被検者眼の眼圧を精度良く測定すると共に、被検眼の状態を好適に確認できる非接触式超音波眼圧計を提供することを技術課題とする。
【課題を解決するための手段】
【０００７】
上記課題を解決するために、本発明は以下のような構成を備えることを特徴とする。
【０００８】
（１）
被検者眼角膜に対し超音波ビームを非接触にて送信し，受信するための送受信部を有する超音波探触子と、
前記被検者眼の前眼部像を観察するための観察光軸を持ち、前記探触子の中心軸と該観察光軸とが所定角度で交わるように前記探触子に対して分離して配置された観察光学系と、を備え、
前記探触子によって受信された角膜反射波の特性に基づいて被検者眼の眼圧を測定する。
（２）  （１）の非接触式超音波眼圧計において、
前記探触子は、被検者眼に対向して配置され、
前記観察光学系は、被検者眼に対して斜め前方に配置されていることを特徴とする。
（３）  （２）の非接触式超音波眼圧計において、
前記探触子の中心部には、開口部が形成されていることを特徴とする。
（４）  （３）の非接触式超音波眼圧計において、
被検者眼に対する前記探触子のアライメント状態を検出するためのアライメント光軸を持ち、前記探触子の中心軸と該アライメント光軸とが所定角度で交わるように前記探触子に対して分離して配置されたアライメント検出光学系を備え、
前記アライメント検出光学系は、観察光学系による兼用、又は観察光学系とは別に配置されていることを特徴とする。
（５）  （４）の非接触式超音波眼圧計において、
前記探触子は、その中心軸が水平面に対して平行となるように配置され、
前記観察光学系は、前記探触子の下方に配置されていることを特徴とする。
（６）  （５）の非接触式超音波眼圧計において、
前記探触子の送受信部は、送信部と受信部とが分離して配置され、中心から近い順に、前記開口部、前記受信部、前記送信部とが同心円状に形成されていることを特徴とする。
（７）  （６）の非接触式超音波眼圧計において、
前記探触子の外縁部より外側に配置され、被検者眼に対して前記探触子の上下左右方向のアライメントを行うためのアライメント指標を投影する第１アライメント指標投影光学系を備えることを特徴とする。
（８）  （７）の非接触式超音波眼圧計において、
前記第１アライメント指標投影光学系は、その中心軸が前記観察光学系の観察光軸と同軸となるように配置されていることを特徴とする。
（９）  （８）の非接触式超音波眼圧計において、
被検者眼に対して前記探触子の作動距離方向のアライメントを行うためのアライメント指標を斜め方向から投影する第２アライメント指標投影光学系と、
前記第２アライメント指標投影光学系による角膜反射光を斜め方向から検出する作動距離検出光学系と、を備え、
第２アライメント指標投影光学系と前記作動距離検出光学系は、前記探触子の中心軸に対して対称に配置されていることを特徴とする。
（１０）  （１）〜（９）のいずれかの非接触式超音波眼圧計において、前記送受信部の少なくともどちらかは、広帯域空気結合型探触子であることを特徴とする。
（１１）  （１０）の非接触式超音波眼圧計において、前記開口部を介して被検者眼に固視標を投影するための固視光軸を有し、前記探触子の中心軸と該光軸とが同軸となるように配置された固視標投影光学系を備えることを特徴とする。
（１２）  （６）の非接触式超音波眼圧計において、
前記アライメント検出光学系は、被検者眼に対して斜め前方の２方向に配置されていることを特徴とする。
【発明の効果】
【０００９】
本発明によれば、被検者眼の眼圧を精度良く測定すると共に、被検眼の状態を好適に確認できる。
【発明を実施するための形態】
【００１０】
図１は、本実施形態に係る非接触式超音波眼圧計の測定系及び光学系の概略構成図である。なお、以下の測定系及び光学系は、図示無き筐体に内蔵されている。また、その筐体は、周知のアライメント用移動機構により、被検者眼Ｅに対して三次元的に移動されてもよい。また、手持ちタイプ（ハンディタイプ）であってもよい。
【００１１】
超音波探触子１０は、空気を媒体として被検者眼Ｅの角膜Ｅｃに向けて超音波ビーム（パルス波又は連続波）を出射し、また、角膜Ｅｃで反射された超音波ビームを検出する。探触子１０は、超音波の送受信部１１として、角膜Ｅｃに入射させる超音波（入射波）を出射する送信部１２と、角膜Ｅｃで反射された超音波（反射波）を検出する受信部１３と、を有し、被検者眼Ｅの眼圧を非接触で測定するために用いられる。なお、探触子１０は、送信部１２と受信部１３とが分離して配置されているが、もちろん単一の構成により送信部１２と受信部１３を兼用してもよい。
【００１２】
送受信部１１における送信部１２及び受信部１３は、所定の作動距離離れて被検者眼に対向して配置され、被検者眼に対して略正面方向より超音波を送受信可能な位置に配置されている（図１参照）。より好ましくは、送信部１２及び受信部１３は、被検者眼Ｅの近傍位置に配置される。また、本実施形態において、探触子１０は、探触子１０の中心軸Ｃ１が水平面に対して平行となるように配置されている。
【００１３】
図２は、本実施形態に係る探触子１０を正面から見たときの概略構成図である。探触子１０は、開口部１８（例えば、直径１ｍｍ程度の円孔）を中心部（中心軸Ｃ１上）有し、開口部１８の外側にリング状の受信部１３を有し、受信部１３の外側にリング状の送信部１２を有する。開口部１８は、固視光源３２（後述する）から発せられた固視光束を通過させるために探触子１０に形成されている。より具体的には、中心から近い順に、開口部１８、受信部１３、送信部１２とが同心円状に形成されている
これにより、送信部１２により外側から角膜Ｅｃに向けて超音波が送信され、受信部１３により内側にて角膜反射波が受信される。なお、送信部１２と受信部１３の位置関係は、逆でも良い。
【００１４】
また、送受信部１１には、空気中での伝搬効率を高めるために、広帯域の周波数成分を持つ超音波ビームを送受信する空気結合型の超音波送受信部（超音波探触子）が用いられることが好ましい。この場合、マイクロアコースティック（Microacoustic）社のBATTM探触子を用いることができる。このような探触子の詳細については、米国特許５２８７３３１号公報、特表２００５−５０６７８３号公報、等を参照されたい。もちろん、これに限るものではなく、ピエゾ型の超音波送受信部（超音波探触子）が用いられてもよい。また、一方の送受信部が広帯域空気結合型探触子で、他方の送受信部がピエゾ型の探触子であってもよい。
【００１５】
図１の説明に戻る。本装置の光学系としては、被検者眼Ｅの前眼部を斜め方向から観察するための観察光学系２０と、被検者眼Ｅを正面方向から固視させるための固視標投影（呈示）光学系３０と、上下左右方向のアライメント状態検出用の第１指標を角膜Ｅｃに投影するための第１指標投影光学系４０と、前後方向である作動距離方向のアライメント状態検出用の第２指標を角膜Ｅｃに投影するための第２指標投影光学系５０と、角膜Ｅｃに投影された第２指標を検出するための指標検出光学系５５と、が設けられている。
【００１６】
観察光学系２０は、対物レンズ２３と、二次元撮像素子２６と、を有し、探触子１０より被検眼側において、その光軸（観察光軸）Ｌ１が探触子１０の中心軸Ｃ１に対して所定角度で交わるように配置されている。観察光学系２０は、探触子１０の外縁部より外側（例えば、探触子１０の下方）に配置される。前眼部照明光源（例えば、第１指標投影光学系４０）によって照明された前眼部像は、対物レンズ２３によって撮像素子２６に結像される。撮像素子２６によって撮像された前眼部像は、後述するモニタ７２に表示される。
【００１７】
また、上記観察光学系２０は、後述するリング指標像Ｒを検出して、被検者眼に対する探触子１０のアライメント状態を検出するアライメント検出光学系として利用できる。そして、撮像素子２６からの検出結果は、アライメントエラー判定、被検者眼に対する探触子１０の自動アライメント、等に利用されうる。
【００１８】
固視標投影光学系３０は、可視光源３２を有し、被検者眼Ｅを固視させるための固視標を被検者眼Ｅに投影する。光源３２からの可視光は、開口絞りによって光束径が絞られ、全反射ミラー３６で反射され、開口部１８を介して被検者眼Ｅの眼底に投影される。固視標投影光学系３０の光軸Ｌ２は、ミラー３６によって探触子１０の中心軸Ｃ１と同軸にされている。これにより、探触子１０は、被検者眼の視線方向に配置された状態となる。
【００１９】
第１指標投影光学系４０は、探触子１０の外縁部より外側に配置され、赤外光源４２を有し、第１のアライメント指標である赤外光を斜め方向から角膜Ｅｃに投影する。より具体的には、赤外光源４２は略リング状の光源であって、その中心軸が観察光軸Ｌ１と同軸になるように配置されている。これにより、角膜Ｅｃ上にリング指標像Ｒが形成される（図３参照）。なお、光源４２は、前眼部照明光源を兼用する。
【００２０】
そして、角膜Ｅｃに形成されたリング指標像Ｒは、前眼部像と共に、対物レンズ２３によって撮像素子２６に結像する。そして、撮像素子２６によって検出されたリング指標像Ｒは、モニタ７２上に表示される（図３中のリングＲ参照）。この場合、指標像Ｒのリング中心と観察光軸Ｌ１が一致する位置がアライメント完了位置となる。
【００２１】
なお、投影光学系４０について、その投影光軸（中心軸）が観察光軸Ｌ１と同軸になるように配置されるようにしてもよい。例えば、観察光学系２０の光路中にハーフミラー等の光路分岐ミラーが配置され、光源４２からの光が光路分岐ミラーを介して被検者眼に投影される。
【００２２】
第２指標投影光学系５０は、赤外光源５１を有し、第２のアライメント指標である赤外光を斜め方向から角膜Ｅｃに投影する。指標検出光学系５５は、位置検出素子（例えば、ラインＣＣＤ）５８を有し、第２指標投影光学系５０によって角膜Ｅｃに形成された第２指標像を検出する（角膜Ｅｃで反射された光源５１からの赤外光を受光する）。なお、投影光学系５０の光軸Ｌ４と指標検出光学系５５の光軸Ｌ５は、探触子１０の中心軸に対して対称な軸を持ち、光軸Ｌ５は光軸Ｌ４と中心軸Ｃ１上で交差する。これにより、被検者眼と探触子１０との作動距離が精度良く検出される。なお、図１において、投影光学系５０及び検出光学系５５は、説明の便宜上上下方向に配置されているが、実際には左右方向に配置されている。
【００２３】
なお、作動距離方向のアライメント状態の検出は、探触子１０によって行われてもよい（例えば、被検者眼に出射された超音波が探触子１０に戻っているまでの時間が距離に換算される）。
【００２４】
図３は、本実施形態に係る装置の制御系の概略ブロック図である。演算制御部７０は、装置全体の制御等を行う。送受信部１１は制御部７０に接続され、制御部７０からの駆動信号が送信部１２に入力される。また、受信部１３から出力された電気信号は、増幅された後、制御部７０に入力される。そして、制御部７０は、受信部１３にて検出された反射波の出力波形を解析して、眼圧値を算出する。また、演算制御部７０には、撮像素子２６、光源３２、光源４２、光源５１、位置検出素子５８、モニタ７２、メモリ７５、等が接続されている。なお、メモリ７５には、探触子１０を用いて眼圧を測定するための測定プログラム、装置全体の制御を行うための制御プログラム、等が記憶されている。
【００２５】
以上のような構成を備える装置において、被検者眼Ｅの眼圧を測定する場合について説明する。まず、検者は、被検者に固視標（光源３２）を注視させる。また、モニタ７２に表示された前眼部像を観察しながら、被検者眼Ｅに対する探触子１０のアライメントを行う。このとき、演算制御部７０は、図３に示すように、撮像素子２６によって撮像されたリング指標像Ｒを含む前眼部像と後述するレチクルＬＴ及びインジケータＧとをモニタ７２に表示する。なお、演算制御部７０は、位置検出素子５８からの出力信号に基づいて作動距離方向のアライメント状態を検出し、その検出結果に基づいてインジケータＧの表示を制御する。
【００２６】
検者は、リング指標像ＲとレチクルＬＲが同心円状となるように、上下左右方向のアライメントを行う。また、インジケータＧが適正な表示状態（例えば、インジゲータが一本の状態）となるように、作動距離方向のアライメントを行う。
【００２７】
上下左右前後方向のアライメントが完了され、所定のトリガ信号が手動で又は自動的に入力されると、演算制御部７０は、送信部１２から超音波ビームを角膜Ｅｃに向けて出射し、角膜Ｅｃで反射された超音波ビームを受信部１３で検出する。そして、演算制御部７０は、送受信部１１による検出結果に基づいて被検者眼Ｅの眼圧を求め、その結果をモニタ７２に表示する。
【００２８】
送信部１２から所定波形の超音波ビームが角膜Ｅｃに照射された場合、その超音波ビームによる角膜反射波の特性・波形（反射波の振幅、位相、等）は、被検者の眼圧によって変化する。そこで、制御部７０は、受信部１３で検出される反射波の特性・波形（例えば、超音波の振幅、位相、等の所定物理量）と眼圧との関係から、被検者眼の眼圧値を算出する。
【００２９】
例えば、制御部７０は、検出された反射波の音響強度を周波数解析（例えば、フーリエ解析）し、反射波における周波数毎の振幅レベルである振幅スペクトルを取得する。図４は反射波の振幅スペクトルの例である。
【００３０】
ここで、制御部７０は、得られた振幅スペクトルのピーク振幅レベル（例えば、図４における振幅スペクトルＳのピーク値Ｐ）を検出する。そして、制御部７０は、振幅スペクトルのピーク振幅レベルに基づいて眼圧を算出する。メモリ７５には、ピーク振幅レベルと眼圧値との相関関係がテーブルとして記憶されており、制御部７０は、検出されたピーク振幅レベルに対応する眼圧値をメモリ７５から取得し、得られた眼圧値をモニタ７２に表示する。なお、ピーク振幅レベルと眼圧値との相関関係は、例えば、本装置によって取得されるピーク振幅レベルとゴールドマン眼圧計によって得られる眼圧値との相関関係を予め求めておくことにより設定可能である。
【００３１】
以上のように、探触子１０と観察光学系（アライメント検出光学系）２０とが分離独立して配置されることで、探触子１０と観察光学系２０が干渉せず、探触子１０による制約がない光学系が容易に構成可能となり、十分な観察・アライメントが行える。
【００３２】
さらに、上記構成によれば、探触子１０は被検者眼に対向した位置に配置されるため、被検者眼に対して超音波を効率よく送受信できるため、被検者眼の眼圧を精度良く測定できる。さらに、送信部１２が外側に配置されることで、送信部１２の面積を広く確保でき、角膜Ｅｃに対して強い超音波ビームを照射できる。また、受信部１３が中心部に配置されることで、角膜頂点に対向して受信部１３が配置され、角膜頂点付近からの反射波を効率よく検出できる。
【００３３】
また、上記構成によれば、探触子１０が被検者眼の前方に対向して配置され、観察光学系２０が被検者眼の斜め前方に配置されるため、探触子１０により眼圧を精度良く測定できると共に、観察光学系２０により十分な観察・アライメントが行える。
【００３４】
また、上記構成によれば、探触子１０の中心軸が水平面に対して平行に配置され、観察光学系２０が探触子１０の下方に配置されているため、被検者眼の瞼・睫等によって超音波及び前眼部像がケラレにくくなるため、眼圧測定及び前眼部観察をスムーズに行うことができる。
【００３５】
なお、上記構成に限るものではなく、観察光学系２０は、探触子１０の中心軸Ｃ１と観察光軸Ｌ１とが所定角度で交わるように探触子に対して分離して配置されていればよい。例えば、観察光学系２０が中心部に配置され、探触子１０が被検者眼の斜め前方に配置された構成であってもよい。また、中心軸Ｃ１と観察光軸Ｌ１とが固視光学系３０の光軸に対して所定の角度で交わるように探触子１０と観察光学系２０とが配置された構成であってもよい。
【００３６】
また、上記構成においては、観察光学系２０がアライメント検出光学系を兼用するものとしたが、アライメント検出光学系が観察光学系とは別に配置されていても良い。
【００３７】
また、送信部１２及び受信部１３は、２つ以上のリングからなる構成であってもよい。送信部１２及び受信部１３は、連続的な円でなく、間欠的な円であってもよい。また、送受信部１１の形状は、略円環状であることが好ましいが、種々の変容が可能である。例えば、多角形（辺の数が多い方が好ましい）状であってもよい。
【００３８】
また、上記構成に限るものではなく、探触子１０と被検者眼とが所定の位置関係となった状態を基準にレチクルＬＴの位置が設定される又はアライメント検出を行なうものであれば、種々の変容が可能である。例えば、投影光学系４０の中心軸と探触子１０の中心軸が同軸となるように配置され、その角膜反射像が観察光学系２０によって検出される構成であってもよい。
【００３９】
図５は本発明の変容例に係る装置の測定系及び光学系を上方から見たときの上方概略図である。なお、図１と同一の番号を付したものについては、特段の説明がない限り、同一の機能・構成を有するものとする。
【００４０】
被検者眼Ｅの斜め前方の２方向には、対物レンズ２３ａ，２３ｂ、撮像素子２６ａ，２６ｂが配置され、これらの光学部材によって第１観察光学系２０ａ、第２観察光学系２０ｂが形成される。そして、前眼部照明光源４４によって照明された前眼部像は、対物レンズ２３ａ，２３ｂを介して、撮像素子２６ａ、２６ｂによって撮像される。撮像素子２６ａ、２６ｂの撮像信号は、制御部７０に入力され、モニタ７２に出力される。なお、第１観察光学系２０ａ、第２観察光学系２０ｂは、それぞれアライメント検出光学系を兼用する。
【００４１】
アライメント指標を角膜Ｅｃに投影する投影光学系４５は、赤外光源４６を有し、探触子１０の背後に配置されている。光源４６から発せられた光束は、ハーフミラー４４、開口部１８を介して角膜Ｅｃに投影される。そして、角膜Ｅｃに形成された指標像は、撮像素子２６ａ、２６ｂによって撮像される。
【００４２】
図６は本発明の変容例に係る装置における表示画面を示す例である。指標像Ｉ１と指標像Ｉ２は、投影光学系４５によって角膜Ｅｃに形成された指標像である。制御部７０は、モニタ７２を制御し、撮像素子２６ａ、２６ｂからの撮像信号を合成して表示する。前眼部像Ａ１及び指標像Ｉ１は、撮像素子２６ａからの撮像信号に基づくものである。また、撮像素子２６ｂからの撮像信号は、観察性向上のため、画像処理により指標像Ｉ２のみが抽出され、前眼部像が除去されている。よって、モニタ７２上には、指標像Ｉ２のみが表示される。
【００４３】
この場合、まず、指標像Ｉ１と指標像Ｉ２との中心位置と，レチクルＬＴと，が一致されるように上下左右方向のアライメントがなされる（図６（ａ）参照）。その後、指標像Ｉ１と指標像Ｉ２とがレチクルＬＴ上で重なるように作動距離方向のアライメントがなされる。なお、インジケータＧを作動距離方向の精密なアライメントに用いることも可能である。このようにすれば、被検眼に対するアライメントをスムーズに行うことができる。
【００４４】
なお、上記変容例において、制御部７０は、指標像Ｉ１と指標像Ｉ２との中心位置を検出し、検出された中心位置に対応するアライメント指標を電子的に表示してもよい。
【００４５】
なお、以上の説明においては、振幅スペクトルに基づいて眼圧を算出したが、角膜反射波を周波数解析したときの位相スペクトルに基づいて眼圧を算出してもよい。より具体的には、入射波と反射波のスペクトル分布を求め、所定の周波数における入射波の位相と反射波の位相との位相差を基に眼圧値を算出する。なお、前述した超音波パルス法による硬さ検出手法については、特開２００２−２７２７４３号公報を参照されたい。
【図面の簡単な説明】
【００４６】
【図１】本実施形態に係る非接触式超音波眼圧計の測定系及び光学系の概略構成図である。
【図２】本実施形態に係る探触子を正面から見たときの概略構成図である。
【図３】本実施形態に係る装置の制御系の概略ブロック図である。
【図４】反射波の振幅スペクトルの例である。
【図５】本発明の変容例に係る装置の測定系及び光学系を上方から見たときの上方概略図である。
【図６】本発明の変容例に係る装置における表示画面を示す図である。
【符号の説明】
【００４７】
１０  探触子
１１  送受信部
１２  送信部
１３  受信部
１８  開口部
２０  観察光学系（アライメント検出光学系）
３０  固視標投影光学系
４０  第１指標投影光学系
５０  第２指標投影光学系
Ｌ１  観察光軸
【図１】
2011045602.tif 000003
【図２】
2011045602.tif 000004
【図３】
2011045602.tif 000005
【図４】
2011045602.tif 000006
【図５】
2011045602.tif 000007
【図６】
2011045602.tif 000008